(57)【要約】【課題】サンプル排紙における無駄紙の発生や生産効率の低下を極力抑制する。【解決手段】用紙に画像を形成する画像形成部と、前記画像形成が行われた用紙の出力画像を読み取る画像読取部と、操作および表示が可能な操作表示部と、当該画像形成装置を制御する制御部とを備え、制御部は、画像読取部で読み取った出力画像のイメージをユーザーが確認できるように操作表示部に表示可能とすることで、無駄紙の節約や生産効率の低下を極力少なくして出力画像の確認を効果的に行うことを可能にする。【選択図】図４
2014094519.tif 000002
【特許請求の範囲】
【請求項１】
用紙に画像を形成する画像形成部と、
前記画像形成が行われた用紙の出力画像を読み取る画像読取部と、
操作および表示が可能な操作表示部と、
当該画像形成装置を制御する制御部とを備え、
前記制御部は、前記画像読取部で読み取った出力画像のイメージを前記操作表示部に表示可能とすることを特徴とする画像形成装置。  
【請求項２】
前記イメージは、ユーザーが前記出力画像の確認を行うため前記表示部に表示されるものであることを特徴とする請求項１記載の画像形成装置。
【請求項３】
前記制御部は、前記操作表示部を通した前記イメージの表示指示を可能にすることを特徴とする請求項１または２に記載の画像形成装置。
【請求項４】
前記制御部は、前記出力画像のイメージ表示に際し、初期表示では、前記画像読取部で、最後に読み取った出力画像のイメージを表示させることを特徴とする請求項１〜３のいずれか１項に記載の画像形成装置。
【請求項５】
前記制御部は、前記出力画像のイメージが前記操作表示部に表示されている場合に前記画像読取部による新たな出力画像の読み取りが実施されると、表示部の表示を更新し、新たに読み取られた出力画像のイメージを表示させることを特徴とする請求項４記載の画像形成装置。
【請求項６】
前記制御部は、前記出力画像のイメージ表示に際し、初期表示では、特定のジョブにおいて、前記画像読取部で最初に読み取った出力画像のイメージを表示させることを特徴とする請求項１〜３のいずれか１項に記載の画像形成装置。
【請求項７】
前記制御部は、前記表示に関し前記操作表示部を通した特定の出力ジョブの指定を可能にし、前記指定に係るジョブにおける前記出力画像のイメージを前記操作表示部に表示可能にすることを特徴とする請求項１〜６のいずれか１項に記載の画像形成装置。
【請求項８】
前記制御部は、前記表示に関し前記操作表示部を通した任意のＪＯＢ／部数／ページの指定を可能にし、前記指定に係るページにおける前記出力画像のイメージを前記操作表示部に表示可能にすることを特徴とする請求項１〜７のいずれか１項に記載の画像形成装置。
【請求項９】
前記制御部は、任意の周期の指定に基づいて対象ページの出力画像のイメージを操作表示部に表示可能にすることを特徴とする請求項１〜８のいずれか１項に記載の画像形成装置。
【請求項１０】
前記任意の周期が、枚数、時間およびＪＯＢ数のいずれかであることを特徴とする請求項９記載の画像形成装置。
【請求項１１】
前記制御部は、特定の条件の指定に基づいて、前記条件と合致するページにおける出力画像のイメージを操作表示部に表示可能にすることを特徴とする請求項１〜８のいずれか１項に記載の画像形成装置。
【請求項１２】
前記特定の条件が、実施ユーザー、出力モードおよび出力先の１または２以上の条件を含むことを特徴とする請求項１１記載の画像形成装置。
【請求項１３】
前記制御部は、前記操作表示部を通した前記指定を可能にすることを特徴とする請求項９〜１２のいずれか１項に記載の画像形成装置。
【請求項１４】
前記制御部は、全ての出力画像を画像読取部で読み取らせることを特徴とする請求項１〜１３のいずれか１項に記載の画像形成装置。
【請求項１５】
前記制御部は、前記操作表示部を通して前記出力画像の読み取りを実施するページの指定を可能にし、指定されたページの出力時に前記出力画像を前記画像読取部で読み取ることを特徴とする請求項１〜１４のいずれか１項に記載の画像形成装置。
【請求項１６】
前記制御部は、前記操作表示部を通して前記操作表示部に表示された出力画像の再印刷の実施を可能にすることを特徴とする請求項１〜１５のいずれか１項に記載の画像形成装置。
【請求項１７】
前記制御部は、前記操作表示部を通して前記再印刷を割り込みＪＯＢとして出力を実施するか、通常ＪＯＢとして出力を実施するかを選択可能にすることを特徴とする請求項１６記載の画像形成装置。
【請求項１８】
前記制御部は、前記操作表示部を通して前記イメージの特定部分を指定可能にし、指定された部分の画像濃度情報を前記操作表示部に表示可能にすることを特徴とする請求項１〜１７のいずれか１項に記載の画像形成装置。
【請求項１９】
前記制御部は、前記操作表示部を通して前記イメージの特定部分を指定可能にし、該指定に関わるページと同じ画像を印刷した他のページの画像濃度情報を前記操作表示部に一覧表示可能にすることを特徴とする請求項１〜１８のいずれか１項に記載の画像形成装置。
【請求項２０】
前記他のページが、指定に関わるページと異なる部の同じページであることを特徴とする請求項１９記載の画像形成装置。
【請求項２１】
前記制御部は、前記操作表示部を通して前記一覧表示された任意のページを指定可能にし、指定ページの出力画像のイメージを前記操作表示部に表示可能にすることを特徴とする請求項１９または２０に記載の画像形成装置。
【請求項２２】
前記制御部は、前記操作表示部に表示されている前記出力画像のイメージの表示倍率を前記操作表示部を通して変更可能とし、表示倍率が変更されたイメージが前記操作表示部の表示エリアの大きさを超える場合、前記表示エリアに表示される前記イメージの領域を指定可能とすることを特徴とする請求項１〜２１のいずれか１項に記載の画像形成装置。
【請求項２３】
前記制御部は、ジョブの全ページの出力が完了する前に、そのジョブの出力済みページに対して画像読取部で読み取った出力画像のイメージを前記操作表示部に表示させることを可能にすることを特徴とする請求項１〜２２のいずれか１項に記載の画像形成装置。
【請求項２４】
前記制御部は、サンプル排紙機能を有しており、該サンプル排紙と、前記画像読取部で読み取った出力画像のイメージ表示のいずれかをユーザーが選択、もしくは併用することを可能にすることを特徴とする請求項１〜２３のいずれか１項に記載の画像形成装置。
【発明の詳細な説明】
【技術分野】
【０００１】
この発明は、用紙に画像形成を行って出力する画像形成装置に関するものである。
【背景技術】
【０００２】
従来、画像データを用いて画像を形成し、該画像を用紙にプリントする画像形成装置では、ユーザーにおいて印刷条件の設定が可能になっている。印刷条件としては、出力部数、片面、両面印刷の別や、印刷用紙サイズ、コピー倍率、コピー濃度、さらにステイプル、パンチなどの後処理方法等が挙げられる。このように印刷条件を設定した場合、ユーザーは自分の意図している出力形態が得られるか否かを確認して、確認の結果、自分の意図するものと異なる場合には、印刷条件の再設定や修正を行いたいという要望がある。
さらに、ＰＰ（プロダクションプリント）分野では、本プリント前の画像状態を確認し、ＯＫであれば本出力へ移行するというフローがある。
従来、このような観点から、通常のプリントを行う前やプリント中に、ユーザーによる確認のためのプリントを可能にした画像形成装置が提案されている。この確認のための出力機能をサンプル排紙などと称している。
例えば、特許文献１では、一定の周期毎にテストパターンをプリント出力し、テストプリント出力画像により色合いのバランス状態などを判断することを可能にしている。
【０００３】
上記のサンプル排紙などでは、ユーザーによる確認を行うことができるというメリットは有しているが、用紙への印刷や本出力の稼働低下などを招くため、無駄紙の発生や生産性の低下という点でデメリットが生じる。
従来、例えば、特許文献２では、ネットワーク間で、クライアントから複合機に印刷データを送信し、複合機から送られる印刷結果の画像データをクライアントのモニタ画面にイメージとして表示するシステムが開示されており、印刷確認をクライアント側で確認できるものとしている。
また、特許文献３では、ジョブ画像の画像データを記憶し、記憶された画像データに基づくサムネイル画像を表示部に表示して、サムネイル画像からサンプル排紙を行う画像をユーザーが選択できるようにした画像形成装置が提案されている。
【先行技術文献】
【特許文献】
【０００４】
【特許文献１】特開平８−１９７７７９号公報
【特許文献２】特開平１０−２８３１３２号公報
【特許文献３】特開２０１０−１０１９３７号公報
【発明の概要】
【発明が解決しようとする課題】
【０００５】
しかし、特許文献２で示されるシステムは、クライアント側で作成した印刷データの印刷結果をクライアント側で確認できるにすぎず、画像形成装置側や他のクライアントで作成されて出力された画像の確認を行うことができない。
また、特許文献３で示されるシステムでは、サンプル排紙を行う画像の選択は容易になるものの、出力画像の確認はサンプル排紙で行うしかなく、無駄な排紙や生産効率の低下を回避する手段にはならない。
【０００６】
本発明は、上記事情を背景としてなされたものであり、無駄紙の発生や生産効率の低下を極力少なくして出力画像の確認を効果的に行うことができる画像形成装置を提供することを目的とする。
【課題を解決するための手段】
【０００７】
すなわち、本発明の画像形成装置のうち、第１の本発明は、用紙に画像を形成する画像形成部と、前記画像形成が行われた用紙の出力画像を読み取る画像読取部と、操作および表示が可能な操作表示部と、当該画像形成装置を制御する制御部とを備え、
前記制御部は、前記画像読取部で読み取った出力画像のイメージを前記操作表示部に表示可能とすることを特徴とする。
【０００８】
第２の本発明の画像形成装置は、前記第１の本発明において、前記イメージが、ユーザーが前記出力画像の確認を行うため前記表示部に表示されるものであることを特徴とする。
【０００９】
第３の本発明の画像形成装置は、前記第１または第２の本発明において、前記制御部は、前記操作表示部を通した前記イメージの表示指示を可能にすることを特徴とする。
【００１０】
第４の本発明の画像形成装置は、前記第１〜第３の本発明のいずれかにおいて、前記制御部は、前記出力画像のイメージ表示に際し、初期表示では、前記画像読取部で、最後に読み取った出力画像のイメージを表示させることを特徴とする。
【００１１】
第５の本発明の画像形成装置は、前記第４の本発明において、前記制御部は、前記出力画像のイメージが前記操作表示部に表示されている場合に前記画像読取部による新たな出力画像の読み取りが実施されると、表示部の表示を更新し、新たに読み取られた出力画像のイメージを表示させることを特徴とする。
【００１２】
第６の本発明の画像形成装置は、前記第１〜第３の本発明のいずれかにおいて、前記制御部は、前記出力画像のイメージ表示に際し、初期表示では、特定のジョブにおいて、前記画像読取部で最初に読み取った出力画像のイメージを表示させることを特徴とする。
【００１３】
第７の本発明の画像形成装置は、前記第１〜第６の本発明のいずれかにおいて、前記制御部は、前記表示に関し前記操作表示部を通した特定の出力ジョブの指定を可能にし、前記指定に係るジョブにおける前記出力画像のイメージを前記操作表示部に表示可能にすることを特徴とする。
【００１４】
第８の本発明の画像形成装置は、前記第１〜第７の本発明のいずれかにおいて、前記制御部は、前記表示に関し前記操作表示部を通した任意のＪＯＢ／部数／ページの指定を可能にし、前記指定に係るページにおける前記出力画像のイメージを前記操作表示部に表示可能にすることを特徴とする。
【００１５】
第９の本発明の画像形成装置は、前記第１〜第８の本発明のいずれかにおいて、前記制御部は、任意の周期の指定に基づいて対象ページの出力画像のイメージを操作表示部に表示可能にすることを特徴とする。
【００１６】
第１０の本発明の画像形成装置は、前記第９の本発明において、前記任意の周期が、枚数、時間およびＪＯＢ数のいずれかであることを特徴とする。
【００１７】
第１１の本発明の画像形成装置は、前記第１〜第８の本発明のいずれかにおいて、前記制御部は、特定の条件の指定に基づいて、前記条件と合致するページにおける出力画像のイメージを操作表示部に表示可能にすることを特徴とする。
【００１８】
第１２の本発明の画像形成装置は、前記第１１の本発明において、前記特定の条件が、実施ユーザー、出力モードおよび出力先の１または２以上の条件を含むことを特徴とする。
【００１９】
第１３の本発明の画像形成装置は、前記第９〜第１２の本発明のいずれかにおいて、前記制御部は、前記操作表示部を通した前記指定を可能にすることを特徴とする。
【００２０】
第１４の本発明の画像形成装置は、前記第１〜第１３の本発明のいずれかにおいて、前記制御部は、全ての出力画像を画像読取部で読み取らせることを特徴とする。
【００２１】
第１５の本発明の画像形成装置は、前記第１〜第１４の本発明のいずれかにおいて、前記制御部は、前記操作表示部を通して前記出力画像の読み取りを実施するページの指定を可能にし、指定されたページの出力時に前記出力画像を前記画像読取部で読み取ることを特徴とする。
【００２２】
第１６の本発明の画像形成装置は、前記第１〜第１５の本発明のいずれかにおいて、前記制御部は、前記操作表示部を通して前記操作表示部に表示された出力画像の再印刷の実施を可能にすることを特徴とする。
【００２３】
第１７の本発明の画像形成装置は、前記第１６の本発明において、前記制御部は、前記操作表示部を通して前記再印刷を割り込みＪＯＢとして出力を実施するか、通常ＪＯＢとして出力を実施するかを選択可能にすることを特徴とする。
【００２４】
第１８の本発明の画像形成装置は、前記第１〜第１７の本発明のいずれかにおいて、前記制御部は、前記操作表示部を通して前記イメージの特定部分を指定可能にし、指定された部分の画像濃度情報を前記操作表示部に表示可能にすることを特徴とする。
【００２５】
第１９の本発明の画像形成装置は、前記第１〜第１８の本発明のいずれかにおいて、前記制御部は、前記操作表示部を通して前記イメージの特定部分を指定可能にし、該指定に関わるページと同じ画像を印刷した他のページの画像濃度情報を前記操作表示部に一覧表示可能にすることを特徴とする。
【００２６】
第２０の本発明の画像形成装置は、前記第１９の本発明において、前記他のページが、指定に関わるページと異なる部の同じページであることを特徴とする。
【００２７】
第２１の本発明の画像形成装置は、前記第１９または２０の本発明において、前記制御部は、前記操作表示部を通して前記一覧表示された任意のページを指定可能にし、指定ページの出力画像のイメージを前記操作表示部に表示可能にすることを特徴とする。
【００２８】
第２２の本発明の画像形成装置は、前記第１〜第２１の本発明のいずれかにおいて、前記制御部は、前記操作表示部に表示されている前記出力画像のイメージの表示倍率を前記操作表示部を通して変更可能とし、表示倍率が変更されたイメージが前記操作表示部の表示エリアの大きさを超える場合、前記表示エリアに表示される前記イメージの領域を指定可能とすることを特徴とする。
【００２９】
第２３の本発明の画像形成装置は、前記第１〜第２２の本発明のいずれかにおいて、前記制御部は、ジョブの全ページの出力が完了する前に、そのジョブの出力済みページに対して画像読取部で読み取った出力画像のイメージを前記操作表示部に表示させることを可能にすることを特徴とする。
【００３０】
第２４の本発明の画像形成装置は、前記第１〜第２３の本発明のいずれかにおいて、前記制御部は、サンプル排紙機能を有しており、該サンプル排紙と、前記画像読取部で読み取った出力画像のイメージ表示のいずれかをユーザーが選択、もしくは併用することを可能にすることを特徴とする。
【発明の効果】
【００３１】
以上説明したように本発明によれば、以下の効果が得られる。
・無駄紙を発生させる事無く、サンプル排紙と同等の画像確認を実施することができる
・生産性を低下させる事無く、サンプル排紙と同等の画像確認を実施することができる
・画像確認でミスプリントが発見された場合の再印刷を容易にする
【図面の簡単な説明】
【００３２】
【図１】本発明の一実施形態における画像形成装置の概略を示す図である。
【図２】同じく、制御ブロックを示す図である。
【図３】同じく、他の形態における画像形成装置の概略を示す図である。
【図４】同じく、印刷時の手順を示すフローチャートである。
【図５】同じく、出力画像イメージ管理用テーブルの概要を説明する図である。
【図６】同じく、出力画像イメージの表示手順および該表示に対する操作入力に対する処理手順を示すフローチャートである。
【図７】同じく、出力画像イメージの表示方法を選択する出力画像イメージ表示選択画面を示す図である。
【図８】同じく、出力画像イメージ表示画面を示す図である。
【図９】同じく、出力画像イメージ表示画面における表示変更をした例の画面を示す図である。
【図１０】同じく、出力画像イメージ表示方法の選択内容に従った処理手順を示すフローチャートである。
【図１１】同じく、出力画像イメージの対象とするジョブを選択する出力画像イメージ表示ＪＯＢ選択画面を示す図である。
【図１２】同じく、出力画像イメージの対象とするページを選択する出力画像イメージ表示ページ選択画面を示す図である。
【図１３】同じく、出力画像イメージの表示の周期を選択する出力画像イメージ表示周期選択画面を示す図である。
【図１４】同じく、出力画像イメージの表示の条件を選択する出力画像イメージ表示条件選択画面を示す図である。
【図１５】同じく、出力画像の画像濃度確認処理の手順を示すフローチャートである。
【図１６】同じく、出力画像の画像濃度確認画面を示す図である。
【図１７】同じく、異なる部間における出力画像の画像濃度の一覧を示す画面である。
【図１８】本発明の他の実施形態における、サンプル排紙と出力画像のイメージ表示とを併用可能とする設定画面を示す図である。
【図１９】同じく、サンプル排紙と出力画像のイメージ表示とを併用可能な場合の印刷処理手順を示すフローチャートである。
【発明を実施するための形態】
【００３３】
以下に、本発明の一実施形態の画像形成装置１を添付図面に基づいて説明する。
画像形成装置１は、図１に示すように画像形成を行う画像形成装置本体１０と、中継装置本体２０と、後処理装置本体３０とが連なって接続されている。
なお、本発明としては画像形成装置の接続構成がこれに限定されるものではなく、画像形成装置本体のみで構成されているものであってもよい。
【００３４】
画像形成装置本体１０は、上部側に自動原稿給送装置（ＡＤＦ）１４が設けられており、自動原稿給送装置（ＡＤＦ）１４で給送される原稿は図２で示されるスキャナー部１３０で画像読取が可能になっている。なお、原稿は、図示しないプラテンガラス上で読み込むこともできる。
また、画像形成装置本体１０または中継装置本体２０の上部側で、プラテンガラスが位置しない箇所に、操作表示部１４０のＬＣＤ１４１が設置されている。ＬＣＤ１４１はタッチパネルで構成されており、操作者による操作および情報の表示が可能になっている。ＬＣＤ１４１は、操作部と表示部を兼用している。なお、操作部をマウスやタブレットなどで構成し、表示部とは別体で構成することも可能である。また、ＬＣＤ１４１は移動可能となっているものであってもよい。
【００３５】
画像形成装置本体１０の下部側には、複数の給紙トレイ１２（図では２段）が配置されている。
画像形成装置本体１０内には、いずれかの給紙トレイ１２から給紙される用紙を搬送する搬送経路１３が設けられており、画像形成装置本体１０内の搬送路途中に、画像形成部１１が設けられている。画像形成部１１は、感光体１１ａ、感光体１１ａの周囲に配置した図示しない、帯電器、ＬＤ、現像器、転写部を有しており、さらに感光体１１ａの下流側の搬送経路１３には定着器１５が配置されている。
【００３６】
定着器１５の下流側で、搬送経路１３が伸長して中継装置本体２０の搬送経路２３に接続されている。また、搬送経路１３には、定着器１５の下流側で分岐して、画像形成部１１の上流側の搬送経路１３に合流する反転搬送経路１６が接続されている。反転搬送経路１６には、用紙を反転させる反転部１７が設けられている。反転部１７で反転された用紙は、反転搬送経路１６を通して画像形成部１１の上流側で搬送経路１３に返流することができ、また、経路の切り替えによって反転した用紙を定着器１５の下流側の搬送経路１３に戻してそのまま中継装置本体２０に搬送することもできる。
【００３７】
画像形成部１１では、帯電器により画像書込み前に感光体１１ａの表面を一様に帯電し、ＬＤにより表面が一様に帯電された感光体１１ａに半導体レーザを照射することにより感光体１１ａに静電潜像を形成する。現像器は、ＬＤによって感光体１１ａに形成された静電潜像をトナー部材によって現像する。この現像処理によって感光体１１ａにトナー画像が形成される。転写部は、給紙トレイ１２から搬送されてきた用紙に感光体１１ａのトナー画像を転写する。トナー画像が転写された用紙は、感光体１１ａから分離されて定着器１５に搬送される。感光体１１ａに残留したトナー部材は図示しない、クリーニング部によって除去される。
定着器１５は、搬送された用紙を加熱することにより用紙の表面側に転写されたトナー画像を出力画像として定着する。定着処理が施された用紙は、搬送経路１３によって中継装置本体２０に搬送されるか、反転搬送経路１６を通して反転部１７により表裏が反転された後、画像形成部１１の上流側で搬送経路１３に返流される。表裏反転された用紙は、画像形成部１１によって裏面への画像形成を行うことができる。
【００３８】
中継装置本体２０には、搬送経路１３に接続され、後段の後処理装置本体３０に接続される搬送経路２３を有している。搬送経路２３には、搬送経路２３を搬送される用紙を反転または所定枚数スタックすることができる反転・スタック部２１を有している。反転・スタック部２１でスタックされる用紙は、所定のタイミングで後処理装置本体３０側に搬送することができ、また、反転・スタック部２１に用紙をスタックすることなく搬送経路２３を通して後処理装置本体３０側に用紙を搬送することもできる。また、反転・スタック部２１で反転のみをして後方に再度搬送することもできる。搬送経路２３には、反転・スタック部２１の上流側において搬送経路２３を搬送される用紙表面の出力画像を検知するインラインセンサー２５が配置されている。インラインセンサー２５は、用紙の最大幅に対応する長さで出力画像の検知を行うことができ、ＣＣＤやＣＭＯＳなどを用紙搬送方向と交差する方向（例えば直交方向）に配列したものを用いることができる。インラインセンサー２５は、本発明の画像読取部に相当する。
【００３９】
後処理本体３０では、折り、中綴じステイプルなどの所定の後処理が行われる。後処理本体３０には、この所定の後処理に対応する後処理部（図示しない）を備えており、後処理設定に従って中継装置本体２０から搬送される用紙に後処理部で所定の後処理が行われる。後処理実行の設定がなされていない場合には、後処理を行うことなく排紙部３１に排紙することができる。
【００４０】
次に、画像形成装置１の機能的構成を図２に基づいて説明する。
画像形成装置本体１０は、制御ブロック部１１０とスキャナー部１３０と操作表示部１４０とプリンター部１５０とを有し、さらに、ＬＡＮ３を通して端末ＰＣなどの外部機器４０から入力される画像データーを処理し、またはスキャナー部１３０で得た画像データーを、ＬＡＮ３を通して外部機器４０に転送可能にする画像処理部（プリント＆スキャナーコントローラー）１６０とを備えている。
【００４１】
制御ブロック部１１０には、画像処理部（プリント＆スキャナーコントローラー）１６０に接続されたＰＣＩバス１１２を有しており、該ＰＣＩバス１１２にＤＲＡＭ制御ＩＣ１１１が接続されている。ＤＲＡＭ制御ＩＣ１１１には、画像メモリー（ＤＲＡＭ）１２０が接続されている。画像メモリー（ＤＲＡＭ）１２０には、圧縮画像データーを格納するための圧縮メモリー１２１と、画像形成前にプリント対象の非圧縮画像データーを一時的に格納するためのページメモリー１２２とを有している。
【００４２】
また、ＰＣＩバス１１２には、コントローラーＩＣ１１８を介してＨＤＤ１１９（ハードディスク）が接続されており、該ＨＤＤ１１９には、スキャナー部１３０で取得した画像データーや画像処理部（プリント＆スキャナーコントローラー）１６０に接続された外部機器４０などにより生成された画像データー等を保存する。
上記画像処理部（プリント＆スキャナーコントローラー）１６０で取得される画像データーやＨＤＤ１１９に格納された画像データーは、プリント動作に伴ってＰＣＩバス１１２を通してＤＲＡＭ制御ＩＣ１１１へと送信される。
【００４３】
また、制御ブロック部１１０には、制御ＣＰＵ１１３を備えており、制御ＣＰＵ１１３にＤＲＡＭ制御ＩＣ１１１が接続されている。
また、制御ＣＰＵ１１３には、フラッシュメモリーなどにより構成される不揮発メモリー１１５が接続されている。不揮発メモリー１１５には、画像形成装置本体１０の初期印刷設定情報や、プロセス制御パラメータ等の機械設定情報、出力設定の初期データー、出力画像を読み取る指定、読み取った画像のイメージの表示の指定に関する設定や制御ＣＰＵ１１３を動作させるためのプログラム等が格納されている。
【００４４】
制御ＣＰＵ１１３は、不揮発メモリー１１５の不揮発データーを読み取り可能であり、また、所望のデーターを不揮発メモリー１１５に書き込むことが可能である。
制御ＣＰＵ１１３は、上記機械設定情報や印刷設定情報、出力設定などに従って画像形成装置本体１０の各部を動作制御する。
制御ＣＰＵ１１３は、不揮発メモリー１１５などとともに本発明の制御部を構成し、画像形成装置１全体を制御する。
制御ＣＰＵ１１３は、ジョブの出力設定や操作指示などを操作表示部１４０を通して行うことができる。
【００４５】
スキャナー部１３０は、光学読み取りを行うＣＣＤ１３１と、スキャナー部１３０全体の制御を行うスキャナー制御部１３２とを備えている。スキャナー制御部１３２は、制御ＣＰＵ１１３とシリアル通信可能に接続されている。また、ＣＣＤ１３１は、ＣＣＤ１３１で読み取った画像データーを処理する読み取り処理部１１６に接続され、読み取り処理部１１６は、ＤＲＡＭ制御ＩＣ１１１に制御可能に接続されている。
読み取り処理部１１６は、ＣＣＤ１３１から入力されたアナログ画像信号に、アナログ信号処理、Ａ／Ｄ（Analog to Digital）変換処理、シェーディング処理等の各種処理を施し、デジタル画像データーを生成して、圧縮／伸長ＩＣ１１７に出力する。
スキャナー部１３０では、画像形成装置本体１０の上部プラテンガラスに置かれた原稿や、ＡＤＦ１４（ドキュメントフィーダー）で自動搬送される原稿の画像を読み取る。
【００４６】
操作表示部１４０は、表示部と操作部とを兼ね、タッチパネルで構成されるＬＣＤ１４１と、操作表示部全体を制御する操作表示部制御部１４２とを備えており、操作表示部制御部１４２は制御ＣＰＵ１１３にシリアル通信可能に接続されている。
操作表示部１４０では、制御ＣＰＵ１１３の制御を受けて、ＬＣＤ１４１によって、画像形成装置本体１０における出力条件設定や動作制御条件などの機械設定入力、各給紙トレイの用紙情報（サイズ、紙種）の設定入力や、設定内容の表示、メッセージなどの所望の情報等の表示、さらにインラインセンサー２５で読み取った出力画像のイメージ表示、イメージ表示に関する操作指示や設定入力、表示などが可能になっている。
【００４７】
前記ＤＲＡＭ制御ＩＣ１１１には、画像データーを圧縮または伸長することができる圧縮／伸長ＩＣ１１７が接続されている。ＤＲＡＭ制御ＩＣ１１１は、制御ＣＰＵ１１３からの指示に従って、圧縮／伸長ＩＣ１１７による画像データーの圧縮処理及び圧縮画像データーの伸長処理を制御するとともに、画像メモリー（ＤＲＡＭ）１２０への画像データーの入出力制御を行う。
書き込み処理部１２３は、プリンター部１５０のＬＤ１５２などを備える画像形成部１１に接続され、画像データーに基づいてＬＤ１５２の動作に用いられる書き込みデーターを生成する。
【００４８】
プリンター部１５０は、上記画像形成部１１と、給紙トレイ１２、搬送経路１３、反転搬送経路１６、定着器１５などにより構成される。
また、プリンター部１５０は、プリンター部１５０の全体（給紙、画像形成、排紙、後処理など）を制御するプリンター制御部１５１を備えており、プリンター制御部１５１は前記した制御ＣＰＵ１１３にシリアル通信可能に接続されている。プリンター制御部１５１は制御ＣＰＵ１１３の制御指令に従って動作して、プリンター部１５０を制御し、用紙搬送、画像形成などを行う。
【００４９】
また、上記のようにＤＲＡＭ制御ＩＣ１１１が接続されたＰＣＩバス１１２には、画像処理部（プリント＆スキャナーコントローラー）１６０のＤＲＡＭ制御ＩＣ１６１が接続されている。画像処理部（プリント＆スキャナーコントローラー）１６０は、画像形成装置本体１０をネットワークプリンターやネットワークスキャナーとして使用する場合に、ＬＡＮ３に接続される外部機器４０などから画像データー等を画像形成装置本体１０で受信したり、スキャナー部１３０で取得した画像データーをＬＡＮ３に接続される外部機器４０などに送信したりするものである。
【００５０】
画像処理部（プリント＆スキャナーコントローラー）１６０では、ＤＲＡＭ制御ＩＣ１６１に、ＤＲＡＭなどで構成される画像メモリー１６２が接続されている。また、画像処理部（プリント＆スキャナーコントローラー）１６０では、共通バスにＤＲＡＭ制御ＩＣ１６１と、画像処理部（プリント＆スキャナーコントローラー）１６０全体の制御を行うコントローラー制御部１６３、ＬＡＮ制御部１６４、ＬＡＮインターフェース１６５が接続されている。ＬＡＮインターフェース１６５は、ＬＡＮ３に接続されている。
【００５１】
さらに、制御ＣＰＵ１１３には、中継装置本体２０内に配置されたインラインセンサー２５のインラインセンサー制御部２５ａが制御可能に接続されており、インラインセンサー制御部２５ａを介して制御ＣＰＵ１１３によってインラインセンサー２５の動作を制御することができる。また、インラインセンサー２５における読み取り結果は制御ＣＰＵ１１３で受信することができる。
【００５２】
次に、上記画像形成装置１の基本的動作について説明する。
先ず、画像形成装置本体１０において画像データーを蓄積する手順について説明する。  画像形成装置本体１０において、スキャナー部１３０で画像を読み取り画像データーを生成する場合について説明する。スキャナー部１３０において原稿からＣＣＤ１３１により画像を光学的に読み取る。この際には、制御ＣＰＵ１１３から指令を受けるスキャナー制御部１３２によってＣＣＤ１３１の動作制御を行う。原稿の読み取りは、自動原稿給送装置（ＡＤＦ）１４によって原稿を自動給送しつつ行ってもよく、また、プラテンガラス上に原稿を置いて行ってもよい。
【００５３】
制御ＣＰＵ１１３はプログラムによって動作し、操作表示部１４０による操作（読み取り指示やコピー指示）に基づいてスキャナー部１３０への指令を発行する。ＣＣＤ１３１で読み取られた画像は、読み取り処理部１１６でデーター処理がなされ、データー処理された画像データーは、ＤＲＡＭ制御ＩＣ１１１を介して圧縮／伸長ＩＣ１１７に送られて所定の方法によって圧縮される。圧縮されたデーターは、ＤＲＡＭ制御ＩＣ１１１を介して画像メモリー（ＤＲＡＭ）１２０に格納される。ＨＤＤ１１９に格納する場合は、圧縮メモリー１２１に一旦格納したデーターをＤＲＡＭ制御ＩＣ１１１、コントローラーＩＣ１１８を介してＨＤＤ１１９に送る。
【００５４】
この他に画像データーは、ＬＡＮ３を介して画像形成装置本体１０に入力されることもある。上記画像データーとしては、例えば外部機器４０などのアプリケーションプログラム等により生成されたものなどが挙げられる。画像データーの生成方法は特に限定されるものではない。
該画像データーは、ＬＡＮ３、ＬＡＮインターフェース１６５を介して画像処理部（プリント＆スキャナーコントローラー）１６０で受信され、ＤＲＡＭ制御ＩＣ１６１によって画像メモリー１６２に一旦格納される。画像メモリー１６２に格納されたデーターは、ＰＣＩバス１１２を介してＤＲＡＭ制御ＩＣ１１１に転送され、ページメモリー１２２に一旦格納される。ページメモリー１２２に格納されたデーターは、ＤＲＡＭ制御ＩＣ１１１を介して圧縮／伸長ＩＣ１１７に送られて圧縮処理され、ＤＲＡＭ制御ＩＣ１１１を介して圧縮メモリー１２１に格納される。ＨＤＤ１１９に格納する場合は、圧縮メモリー１２１に一旦格納したデーターをＤＲＡＭ制御ＩＣ１１１、コントローラーＩＣ１１８を介してＨＤＤ１１９に送る。
【００５５】
上記画像データーの蓄積に際しては、画像データーの蓄積前または蓄積後に出力設定がなされる。該出力設定は、前記操作表示部１４０に操作入力が可能な設定画面を表示して、操作者による操作入力によって行うことができる。また、初期設定において出力設定項目が選択されており、操作者による設定入力がなされない場合にも該初期設定によって出力設定がなされる。
【００５６】
画像形成装置１で画像出力を行う場合、すなわち複写機やプリンターとして使用する場合、圧縮メモリー１２１に格納された画像データーを、ＤＲＡＭ制御ＩＣ１１１を介して圧縮／伸長ＩＣ１１７に送出してデーターを伸長し、伸長したデーターを書き込み処理部１２３に送出し、帯電部で帯電した感光体１１ａへＬＤ１５２によって書き込みを行う。なお、ＨＤＤ１１９に格納された画像データーを用いる場合は、ＨＤＤ１１９に格納された画像データーを、ＤＲＡＭ制御ＩＣ１１１を介して一旦、圧縮メモリー１２１に格納し、圧縮メモリー１２１に格納された画像データーをＤＲＡＭ制御ＩＣ１１１を介して圧縮／伸長ＩＣ１１７に送出してデーターを伸長し、伸長したデーターを上記と同様に書き込み処理部１２３に送出する。
【００５７】
プリンター部１５０では、制御ＣＰＵ１１３の指令を受けたプリンター制御部１５１によって各部の制御が行われる。画像形成部１１では感光体１１ａに書き込まれた潜像が図示しない現像部でトナー像として現像され、該トナー像が図示しない転写部で搬送経路１３によって供給される用紙に転写され、定着器１５で定着がなされる。感光体１１ａでは、トナー像が用紙転写された後、図示しないクリーニング部によって残留トナーが除去される。
なお、この実施形態では、モノクロの画像形成を前提にして説明したが、各色（例えば、シアン、マゼンタ、イエロー、ブラック）毎に感光体等を備える画像形成装置本体としたものであってもよい。
【００５８】
画像形成がなされた用紙は搬送経路１３を経て中継装置２０に搬送されるか、反転搬送経路１６の反転部１７で反転され、搬送経路１３を経て中継装置本体２０に搬送されるか、反転搬送経路１６で搬送されて搬送経路１３に環流される。搬送経路１３に環流された用紙は、裏面側への画像形成と定着とが行われ、搬送経路１３を通して中継装置本体２０に搬送される。
【００５９】
中継装置本体２０では、搬送経路２３を搬送される用紙表面の出力画像の全部または一部がインラインセンサー２５で読み取られ、読み取られた画像データが制御ＣＰＵ１１３に送信される。出力画像の読み取りは、設定された指示内容に従って行われる。設定内容は、不揮発メモリ−１１５などに格納される。指示内容は初期設定されているものやユーザーによって設定されたものが考えられる。
用紙は、設定に従って反転・スタック部２１にスタックされるか、そのまま搬送経路２３を搬送されて後処理装置本体３０へと搬送されるか、反転して後方に搬送される。後処理装置本体３０では、設定に従って所定の後処理が行われるか、後処理を行うことなく搬送され、それぞれ排紙部３１などに排紙される。また、反転・スタック部２１で反転のみして後方に搬送することで、インラインセンサー２５で用紙裏面側に形成されている出力画像の読み取りを行うことができる。この場合は、読み取りのためのみで用紙が反転される。出力画像の読み取り後は、用紙を前方に搬送して、反転・スタック部２１にスタックされるか、そのまま搬送経路２３を搬送されて後処理装置本体３０へと搬送される。
【００６０】
なお、上記では、画像読取部が画像形成装置本体１０の後段の装置に備えられるものについて説明したが、画像読取部が画像形成装置本体に備えられるものであってもよい。
図３は、画像読取部に相当するインラインセンサー１８が画像形成装置本体１０ａに備えられたものを示している。インラインセンサー１８は、インラインセンサー２５と同様の構成とすることができ、インラインセンサー１８も本発明の画像読取部に相当する。
画像形成装置本体１０ａは、さらに後段に他の装置本体が接続されるものであってもよく、また、画像形成装置本体１０ａのみで画像形成装置が構成されるものであってもよい。なお、前記した実施形態と同一の構成について同一の構成を付してその説明を省略または簡略にする。
【００６１】
この形態では、定着器１５の下流側であって、搬送経路１３から反転搬送経路１６が分岐する地点の上流側の搬送経路１３にインラインセンサー１８が配置されている。
この実施形態では、用紙の表裏に画像を形成する場合も、表裏の出力画像を読み取りの目的のみで用紙を反転させることは必要なく、用紙の表裏の出力画像をインラインセンサー１８で読み取ることができる。
すなわち、定着器１５を経た用紙を用紙反転経路１６に導入し、反転部１７で表裏を反転した後、搬送経路１３に返流することで、用紙の裏面側に画像が形成され、その画像は、定着器１５の下流側でインラインセンサー１８で読み取ることができる。そして、インラインセンサー１８の読み取り結果は、制御ＣＰＵ１１３に送信される。
この形態では、定着器１５を通過後、反転搬送経路１６に至る前に読み取りを実施できるため、両面をインラインセンサーで読み取る目的のみで用紙を反転させる必要はない。
【００６２】
次に、用紙両面の出力画像の読み取りが可能とされた画像形成装置で、印刷を行う手順を図４のフローチャートに基づいて説明する。以下の手順は、制御ＣＰＵ１１３の制御によって実行される。
印刷（出力）開始に伴って、出力枚数カウンタＮに０をセットし（ステップｓ１）、Ｎが総出力枚数を超えたかを判定する（ステップｓ２）。Ｎが総出力枚数を超えていれば（ステップｓ２、Ｙｅｓ）、処理を終了する。Ｎが総出力枚数を超えていなければ（ステップｓ２、Ｎｏ）、Ｎ枚目（表面）の画像形成を実施する（ステップｓ３）。次いで、出力画像イメージ管理用テーブルに新規要素を追加し、Ｎ枚目のデータを新規要素にセットする（ステップｓ４）。次いで、インラインセンサーにより、画像形成が完了した用紙の画像を読み取る（ステップｓ５）。読み取った画像のデータは出力画像イメージ管理用テーブルの新規要素にセットされる（ステップｓ６）。読み取った画像のデータは、後述するように、ＪＯＢ  ＩＤ・ページ番号・部番号・印刷設定データ等とともに出力画像イメージ管理用テーブルに登録される。
【００６３】
図５は、出力画像イメージの管理用テーブルの概要を示す図である。出力画像イメージの管理用テーブルは、画像メモリー（ＤＲＡＭ）１２やＨＤＤ１１９などに読み書き可能に格納することができる。
テーブルは次要素へのポインタで接続されたリスト構造の形となっており、出力画像の読み取りが実施される度に新しい要素が追加される。
管理用テーブルには、ポインタ、要素番号、ＪＯＢ  ＩＤ、排紙時間、部番号、ページ番号、印刷設定および出力画像の読み取りデーターの項目が設けられている。
・要素番号は、各要素に対してユニークに付与される通し番号で、要素の管理に用いられ  る。
・ＪＯＢ  ＩＤ／部番号／ページ番号は、画像形成した画像がどのＪＯＢのどのページに該当するかの情報で、対象ページを指定して出力画像イメージ表示を実施する場合に該当要素を検索する為に用いられる。
・排紙時間は画像形成は実施された時刻が設定され、時間による周期で出力画像イメージを表示する際に、該当要素を検索する為に用いられる。
・印刷設定は、画像形成を実施した条件（カラーモード、紙サイズ、倍率、後処理モード、出力先等）が設定されており、指定条件に該当するページの出力画像イメージを表示する場合の該当要素検索、及び出力画像イメージ表示画面から表示中ページの再印刷を指示した場合の再印刷条件設定に用いられる。
・出力画像読み取りデーターは、インラインセンサーで読み取られた出力画像のイメージが設定されており、出力画像イメージデーターを操作表示部上に表示する際に用いられる。
【００６４】
要素の削除に関しては、以下の様な方法が考えられる。
・システムが使用できるメモリエリアが一杯になった場合に、リストの先頭（古いデーター）から順に削除していく。
・ユーザーが出力画像の確認完了を宣言したページの要素をリストから削除する。
【００６５】
前記ステップｓ６の後、Ｎ枚目は両面印刷かを判定する（ステップｓ７）。両面印刷かは、画像形成装置を制御する制御ＣＰＵ１１３で把握されている。両面印刷でなければ（ステップｓ７、Ｎｏ）、ステップｓ１２に移行して画像表示の可否判定を行う。両面印刷である場合（ステップｓ７、Ｙｅｓ）、Ｎ枚目（裏面）の画像形成を実施し（ステップｓ８）、表面側と同様に出力画像イメージ管理用テーブルに新規要素を追加し、Ｎ枚目のデータを新規要素にセットする（ステップｓ９）。次いで、インラインセンサーにより、画像形成が完了した用紙の画像を読み取り（ステップｓ１０）、読み取った画像のデータを出力画像イメージ管理用テーブルの新規要素にセットする（ステップｓ１１）。すなわち読み取った画像のデータは、ＪＯＢ  ＩＤ・ページ番号・部番号・印刷設定データ等とともに出力画像イメージ管理用テーブルに登録される。
【００６６】
次いで、ユーザーによる表示釦の押釦などによる表示指示や初期設定などにより出力画像のイメージの表示設定がされているかを判定する（ステップｓ１２）。表示設定がされていなければ（ステップｓ１２、Ｎｏ）、用紙の排出を実施するステップｓ１４に移行する。表示設定がされていれば（ステップｓ１２、Ｙｅｓ）、操作表示部１４０に出力画像のイメージを表示する（ステップｓ１３）。その後、用紙排出を実施し（ステップｓ１４）、Ｎに１を加算し（ステップｓ１５）、ステップｓ２の総出力枚数とＮとを対比するステップｓ２に移行する。すなわち全ての出力が完了するまで上記の動作が全ページで実施される。
なお、上記手順では、全ての出力画像を読み取る構成となっているが、ユーザーが出力画像確認を実施するページを指定しておき、該当するページの画像形成時のみインラインセンサーで読み取りを実施する構成も考えられる。
【００６７】
次に、ユーザーが出力画像イメージの確認を指示する際の出力画像のイメージ表示処理の手順を図６に示す。該手順は、制御ＣＰＵ１１３の制御によって実施される。
まず、操作表示部１４０に、図７に示す出力画像イメージ確認方法選択画面１４００が表示される（ステップｓ２０）。
出力画像イメージ確認方法選択画面１４００では、出力画像のイメージの出力方法を選択することを促すメッセージ１４０１が表示され、選択項目がそれぞれ押釦可能に表示される。選択項目としては、「一番新しい出力画像イメージを表示する」、「一番古い出力画像イメージを表示する」、「対象ページを指定して表示」、「出力周期を指定して表示」、「条件を指定して表示」が選択可能になっており、それぞれに対応した選択釦１４０２〜１４０６が押釦可能に表示されている。また、処理を終了する終了釦１４０７が押釦可能に表示されている。
出力画像イメージ確認方法選択画面１４００で各釦を押下することにより、各動作が実施される。その内容の詳細は後述する。
【００６８】
出力画像イメージ確認方法選択画面１４００によってユーザーが出力方法を選択すると（ステップｓ２１）、選択された出力方法に応じて表示対象となる出力画像イメージの要素が検索され、表示対象画像のリストが作成される（ステップｓ２２）。
【００６９】
この例では、出力画像イメージ確認方法選択で、「一番新しい出力画像イメージを表示」の選択釦１４０２が押下された場合を説明する。
表示対象画像リスト最後尾の画像を初期表示対象画像とし、これをセットする（ステップｓ２３）。次いで、作成された表示対象画像リストを基に、図８に示す出力画像イメージ表示画面１４１０を操作表示部１４０に表示し、ユーザーのキー入力に応じた処理を行う。この例では、最後に読み取った、一番新しい出力画像イメージが表示され、キー入力の受け付けが開始される。
キー入力が実施されるまでは、新規画像の読み取り（出力画像イメージテーブルへの要素追加）を監視し、新規出力画像イメージが追加された場合は、表示対象かの判断を実施し表示対象画像リストに追加を実施する。
この画像データは、出力画像管理テーブルの最後尾を参照することで取得することが出来る。出力画像管理テーブルに新しい要素が追加された場合は、追加された要素のイメージに表示を更新する（若しくは表示を更新するかユーザーに選択させる）。
【００７０】
図８に出力画像イメージ表示画面１４１０の例を示す。出力画像イメージ表示画面１４１０では、イメージ表示欄１４１１が設けられており、セットされた対象ページの画像イメージ１４１２が表示される。この例では、リスト最後尾のページ１０の出力画像に係るイメージ１４１２が表示されている。イメージ表示欄１４１１の右端には縦スクロールバー１４１１ａ、イメージ表示欄１４１１の下端には横スクロールバー１４１１ｂが操作可能に表示されている。イメージ１４１２全体がイメージ表示欄１４１１の表示領域に収まらない場合、縦スクロールバー１４１１ａ、横スクロールバー１４１１ｂの操作によってイメージ表示欄１４１１に表示されるイメージの領域を変更することができる。イメージ１４１２全体がイメージ表示欄１４１１に収まっている場合、縦スクロールバー１４１１ａ、横スクロールバー１４１１ｂを操作不可にしてもよい。
イメージ表示欄１４１１の右側には、出力画像情報表示欄１４１３が設けられており、対象出力画像の情報（出力が実施されたＪＯＢ、部数、ページ数、サイズ等）が表示される。図８では、ＪＯＢ  ＩＤ、ユーザー名、部数目、サイズ、紙種、排出先の情報が表示されている。この情報は、表示した出力画像の要素に設定されているデータを参照することで取得できる。
【００７１】
イメージ表示欄１４１１の最下段には、表示枚数設定欄１４１４が操作入力可能に設けられており、イメージ表示欄１４１１に表示される枚数を表示枚数設定欄１４１４で設定することができる。この例では、表示枚数設定欄１４１４に枚数として「１」が設定されており、ページ１０のイメージのみがイメージ表示欄１４１１に表示されている。イメージ表示欄１４１１の下段であって表示枚数表示欄１４１４の上段側に、次頁釦１４１５と前頁釦１４１６とが押釦可能に並列して表示されており、イメージ表示欄１４１１に表示される頁を変更することが可能になっている。前頁釦１４１６の下段であって表示枚数設定欄１４１４の右側には画像濃度確認釦１４１９が押釦可能に表示されている。前頁釦１４１６の右側にはさらにイメージの表示倍率を変更する拡大釦１４１７、縮小釦１４１８が押釦可能に並列して表示されている。その下段側には、対象ページ印刷（割り込み）釦１４２０と対象ページ印刷（通常）釦１４２１とが押釦可能に並列して表示されている。対象ページ印刷は、サンプル排紙として印刷を行うものである。また、出力画像イメージ表示画面１４１０の右端下段には、画像削除釦１４２５と終了釦１４２６とが押釦可能に表示されている。
【００７２】
上記出力画像イメージ表示画面１４１０でユーザーによるキー入力がされると（ステップｓ２５）、入力キーに応じた処理がなされ（ステップｓ２６）、終了釦以外ではステップｓ３４に移行する。当該手順は制御ＣＰＵ１１３の制御によって実行される。
【００７３】
・次頁釦１４１５の押釦
表示中画像の一つ後に読み取られた画像の表示に切り替えを実施する（表示中要素の一つ後の要素を参照する：ステップｓ２７）。表示中の画像が最新の読み取り画像の場合は、何も処理をしない。
・前頁釦１４１６の押釦
表示中画像の一つ前に読み取られた画像の表示に切り替えを実施する（表示中要素の一つ前の要素を参照する：ステップｓ２７）。最新の画像（出力画像管理テーブルの最後尾の要素）以外が表示されている場合は、新たな要素がテーブルに追加されても表示の更新を実施しないようにすることで、ユーザーが望まない表示の更新を実施しないようにすることも可能である。
【００７４】
・拡大釦１４１７の押釦
表示中画像の倍率を変更し、拡大表示を実施する（ステップｓ２８）。出力画像イメージ表示エリアに表示しきれない場合、スクロールバーによりイメージの表示領域をユーザーが選択することができる。これにより、画面の解像度により出力画像の表示精度を調整することを可能にする。
・縮小釦１４１８の押釦
表示中画像の倍率を変更し、縮小表示を実施する（ステップｓ２８）。
【００７５】
・表示枚数設定釦１４１４の操作入力
枚数を入力（ソフトウェアテンキー、ハードキー等により）画面に表示させる出力画像イメージの枚数を変更することができる（ステップｓ２９）。これにより、複数の画像を並べて比較する、表裏の画像を並べて確認する、等の操作が可能となる。
図９は、表示枚数を８に設定した場合の出力画像イメージ表示画面１４１０を示すものであり、イメージ表示欄１４１１を８個有し、各イメージ表示欄１４１１にそれぞれ画像イメージ１４１２が表示されている。各イメージ表示欄１４１１に対し、それぞれ縦スクロールバー１４１１ａ、横スクロールバー１４１１ｂが操作可能に表示されている。
なお、図９に示す形態では、画面右部の出力画像情報は、表示中の中で最も古い出力画像のものを表示しているが、他の出力画像の情報を表示する、全ての出力画像の情報を並べて表示する、等でも良い。
【００７６】
・対象ページの印刷（割り込み）釦１４２０の押釦
・対象ページの印刷（通常）釦１４２１の押釦
これらの印刷釦の押釦では、対象となる頁（現在表示中のページ）が割り込みまたは通常の印刷をユーザーが選択して指示することができる（ステップｓ３０）。割り込みでは、ジョブの実行中にジョブを中断して対象ページの印刷を行う、通常印刷では、予約ＪＯＢリストの最後尾に追加をする。
これにより、出力画像イメージの確認で異常が発見された場合の再印刷、および出力画像をサンプルとして保存しておく場合の印刷、画面上では確認が不十分と判断された場合の画像確認を容易にできる。
【００７７】
・画像削除釦１４２５の押釦
画像削除釦１４２５が押釦されると、表示対象画像のイメージを削除し、出力画像イメージをメモリ上から削除する（出力画像管理テーブルから対象の要素を削除する）（ステップｓ３１）、表示対象イメージを表示対象画像リストの別要素に変更する（ステップｓ３２）。変更は、イメージ出力方法などに従って行われる。
【００７８】
・画像濃度確認釦１４１９の押釦
画像濃度確認釦１４１９の押釦がされると、画像濃度確認画面処理を行う（ステップｓ３３）。画像濃度確認画面処理の詳細は後述する。
【００７９】
・終了釦１４２６の押釦
終了釦１４２６の押釦によって処理を終了し、出力画像イメージの確認を終了し、例えば上位階層のメニュー画面などに遷移する。
【００８０】
終了釦以外のキー入力および入力無しは、ステップｓ３４に移行する。
ステップｓ３４では、出力画像イメージ管理用テーブルに新要素が有るかが判定される。新要素がなければ（ステップｓ３４、Ｎｏ）、ステップｓ２４に移行し、出力画像イメージ表示画面１４１０を表示する。新要素があれば（ステップｓ３４、Ｙｅｓ）、追加要素は表示条件を満たすかが判定される（ステップｓ３５）。表示条件を満たしていなければ（ステップｓ３５、Ｎｏ）、ステップｓ２４に移行し、出力画像イメージ表示画面１４１０を表示する。表示条件を満たしていれば（ステップｓ３５、Ｙｅｓ）、新規要素を表示対象リストの要素に追加し（ステップｓ３６）、ステップｓ２４に移行し、出力画像イメージ表示画面１４１０を表示する。
【００８１】
次に、前記ステップｓ２１における出力方法の選択の詳細について図１０のフローチャートに基づいて説明する。なお、以下の手順は制御ＣＰＵ１１３の制御によって実行される。
【００８２】
出力方法は、前記したように、「一番新しい出力画像イメージを表示する」、「一番古い出力画像イメージを表示する」、「対象ページを指定して表示」、「出力周期を指定して表示」、「条件を指定して表示」のいずれかが選択可能になっており、出力画像イメージ確認方法選択画面１４００における対応する選択釦１４０２〜１４０６の押釦によって以下の手順が実行される。
【００８３】
「一番新しい出力画像イメージを表示」の選択釦１４０２または「一番古い出力画像イメージを表示」の選択釦１４０３の押釦
・「一番新しい出力画像イメージを表示」の選択
最後にインラインセンサーで読み取った画像の確認を実施し（ステップｓ４１）、処理を終了する。この出力方法では、出力画像管理テーブルの全要素を表示対象画像リストに追加し、画像イメージ表示中に出力画像の読み取り動作が実施された場合は最新の画像に表示更新を行う。
このイメージの出力方法によれば、画像の出力中にリアルタイムで画像の異常をチェックし、ミスプリント用紙の発見を早期に行うことができる。
・「一番古い出力画像イメージを表示」の選択釦１４０３の押釦
一番最初にインラインセンサーで読み取った画像の確認を実施し（ステップｓ４１）、処理を終了する。この出力方法では、出力画像管理テーブルの全要素を表示対象画像リストに追加する。例えば、出力順に全ての出力画像を確認することができる。
【００８４】
・「対象ページを指定して表示」の選択釦１４０４の押釦
ＪＯＢ／部番号／ページ番号を指定し、対象ページ画像の確認を実施する。対象ＪＯＢの全ページを表示させることと、対象ＪＯＢに任意ページのみを表示させることの両方が可能であり、対象ＪＯＢを印刷指示したユーザーが、正常に印刷されたかを確認することができる。また、ＪＯＢ中の任意ページを指定することにより、特定の画像のみを確認することも可能となる。例えば、写真のページだけ確認したい場合、部毎の画質にバラつきが無いかのチェック等を行うこともできる。
【００８５】
具体的には、図１１に示す出力画像イメージ表示ＪＯＢ選択画面１４３０を表示し、出力画像のイメージ表示を行うジョブ対象を選択することができる（ステップｓ４２）。
出力画像イメージ表示ＪＯＢ選択画面１４３０では、出力が実施されたジョブの履歴リストが履歴欄１４３１にリスト表示されており、表示されているジョブの行を押釦することでジョブの選択が可能になっている。この例では、新しいものから順番に表示されている。出力中のジョブが存在する場合、リストの先頭に表示される。なお、表示順序はこれに限定されるものではない。選択されたジョブは反転表示される。選択は１つのジョブのみでもよく、また複数のジョブを選択することもできる。
【００８６】
出力画像イメージ表示選択画面１４３０には、次項釦１４３２、前項釦１４３３が押釦表示されており、履歴欄１４３１のジョブリストの表示範囲を切り替えることができる。
また、出力画像イメージ表示選択画面１４３０には、「選択ＪＯＢのイメージを表示」釦１４３４、終了釦１４３５が押釦可能に表示されている。終了釦１４３５を押釦すると、画面が閉じられて上位階層のメニュー画面が表示されるなどする。
「選択ＪＯＢのイメージを表示」釦１４３４が押釦されると（ステップｓ４３）、出力画像イメージ表示ページ選択画面１４４０が表示される（ステップｓ４４）。
【００８７】
図１２に、出力画像イメージ表示ページ選択画面１４４０を示す。この画面により対象ジョブ中のどのページに対して出力画像のイメージを表示するかを任意に指定できる。該画面では、選択されたジョブを表示する選択ジョブ表示欄１４４１が設けられており、選択されたジョブを確認することができる。また、メッセージ欄１４４２には、イメージを表示するページの選択を促すメッセージが表示されている。
【００８８】
ページ選択では、部単位、ページ単位で選択が可能になっており、部単位では、全部数釦１４４３、一定間隔釦１４４４、部番号指定釦１４４５で押釦または数値の入力が可能になっている。一定間隔釦１４４４では、画面に示されるように所定部数毎の設定を行うことができ、一定の周期で画面表示をして確認することができる。部番号指定釦１４４５では、任意の部数目を部番号や部範囲で指定することができ、複数の指定をすることもできる。
ページ単位では、全ページ釦１４４６、一定間隔釦１４４７、ページ番号指定釦１４４８で押釦または数値の入力が可能になっている。一定間隔釦１４４７では、画面に示されるように所定ページ数毎の設定を行うことができる。ページ番号指定釦１４４８では、任意のページをページ番号やページ範囲で指定することができる。部番号、ページを指定して選択すれば、先頭ページのみ確認をしたい、各部のあるページの画像だけを確認したい、等の場合の所望のページ表示を行うことができる。
【００８９】
出力画像イメージ表示ページ選択画面１４４０には、イメージ表示ボタン１４４９ａ、終了釦１４４９ｂが押釦可能に表示されている。終了釦１４４９ｂを押釦すると、画面が閉じられて上位階層のメニュー画面が表示されるなどする。
ユーザーが表示対象ページをこの画面で指示し（ステップｓ４５）、イメージ表示ボタン１４４９ａを押釦すると（ステップｓ４６）、ユーザーが指定したページの要素が表示対象画像リストに追加され（ステップｓ４６）、処理を終了する。イメージ表示ボタン１４４９ａが押釦されている場合、図８の出力画像イメージ表示画面１４１０に所望のページのイメージを表示することができる。
【００９０】
また、出力画像イメージ確認方法選択画面１４００で「出力周期を指定して表示」の選択釦１４０５が押釦されると、図１３に示す出力画像イメージ表示周期選択画面１４５０が操作表示部１４０に表示される（ステップｓ４７）。
この画面では、時間・枚数・ＪＯＢ数等の周期を指定し、対象周期に該当する画像の確認を実施することができる。エージングによる、機械としての画質変化を確認する場合や、出力画像の履歴サンプルとしての保存管理を行うことができる。
【００９１】
出力画像イメージ表示周期選択画面１４５０の例を図１３に示す。図では、イメージを表示する対象となるページの指定を促すメッセージ欄１４５１を有している。
また、出力枚数、出力時間、出力ＪＯＢ数について、いずれかの周期の設定が可能になっており、枚数周期設定釦１４５２、時間周期設定釦１４５３、ＪＯＢ数周期設定釦１４５４が操作入力可能に表示されている。ユーザーは、いずれかの項目で入力が可能であり、入力された項目は反転表示される。この例では、時間周期として３０分が指定されている。また、出力画像イメージ表示周期選択画面１４５０で表示周期が指示され、イメージ表示ボタン１４５５を押釦すると（ステップｓ４８）、ユーザーが指定した周期に該当する要素が表示対象画像リストに追加され（ステップｓ４９）、処理を終了する。時間周期の場合、周期設定された時間に最も近い／直前／直後等の方法で該当要素を決定する。終了釦１４５６が押釦された場合、画面が閉じられて上位階層のメニュー画面が表示されるなどする。
なお、イメージ表示ボタン１４５５が押釦された場合、図８の出力画像イメージ表示画面１４１０に所望のページのイメージを表示することができる。
【００９２】
また、出力画像イメージ確認方法選択画面１４００で「条件を表示して表示」の選択釦１４０６の押釦が押釦されると、図１４に示す出力画像イメージ表示条件選択画面１４６０が操作表示部１４０に操作入力可能に表示される（ステップｓ５０）。
この画面において特定の条件を指定することにより（ステップｓ５１）、条件と合致するページ画像の確認を実施することができる。ユーザーが指示した条件に該当する要素が表示対象画像リストに追加され（ステップｓ５２）、処理を終了する。
条件の例としては以下のようなものが考えられる。
特定ユーザーのみ  →  あるユーザーが自分が出力した画像のみを確認する場合
特定排出先のみ  →  出力中に画像確認が出来ないＪＯＢのみを確認する場合
特定排紙モードのみ  →  束ものの印刷途中で画像を確認する場合
特定設定のみ  →  カラーページだけ画像を確認する場合
条件に、「最新の読み込みページのみ」を設定することにより、条件に該当する印刷ページの出力をリアルタイムに確認することも可能としている。
【００９３】
出力画像イメージ表示条件選択画面１４６０の例を図１４に示す。
該画面では、イメージを表示するページの条件選択を促すメッセージが表示されるメッセージ欄１４６１が設けられている。
また出力画像イメージ表示条件選択画面１４６０には、ユーザー名指定項目釦１４６２、カラーモード指定項目釦１４６３、排紙先指定項目釦１４６４、出力時間指定項目釦１４６５、折りモード指定項目釦１４６６、ステイプル指定項目釦１４６７、印字率指定項目釦１４６８、出力順番指定項目釦１４６９が操作入力可能に表示されている。
各項目では、指定無しの設定と具体的な特定設定とが可能になっている。すなわち、ユーザー名指定項目釦１４６２で指定無しまたは特定ユーザーの指定、カラーモード指定項目釦１４６３では指定無しまたは特定のカラーモード（カラー、モノクロの別など）、排紙先指定項目釦１４６４では指定無しまたは排紙先の特定、出力時間指定項目釦１４６５では指定無しまたは出力時間の特定、折りモード指定項目釦１４６６では指定無しまたは折りモードの有無、ステイプル指定項目釦１４６７では指定無しまたはステイプルの有無、印字率指定項目釦１４６８で指定無しまたは特定印字率の閾値設定、出力順番指定項目釦１４６９では指定無しまたは特定の出力順などの設定が可能になっている。
【００９４】
また、出力画像イメージ表示条件選択画面１４６０には、イメージを表示ボタン１４６０ａと終了釦１４６０ｂが押釦可能に表示されている。
ユーザーによる表示条件が指示されるとともに「イメージを表示ボタン」１４６０ａが押釦されると（ステップｓ５１）、ユーザーが指示した条件に該当する要素を表示対象画像リストに追加して処理を終了する。終了釦１４６０ｂが押釦された場合、画面が閉じられて上位階層のメニュー画面が表示されるなどする。
「イメージを表示ボタン」１４６０ａが押釦された場合、図８の出力画像イメージ表示画面１４１０に所望のページのイメージを表示することができる。
【００９５】
次に、図８の出力画像イメージ表示画面１４１０で画像濃度確認釦１４１９が押釦されるなどして行われる画像濃度確認処理の手順について図１５のフローチャートに基づいて説明する。なお、以下の手順は、制御ＣＰＵ１１３の制御によって実行される。
処理開始に伴って、現在の表示対象ページを画像濃度確認対象ページとしてセットする（ステップｓ６０）。次いで、画像濃度確認画面１４７０を操作表示部１４０に表示する（ステップｓ６１）。
【００９６】
画像濃度確認画面の例を図１６に示す。画像濃度確認画面１４７０には、イメージ表示欄１４７１が設けられており、イメージ表示欄１４７１の右端に縦スクロールバー１４７１ａ、イメージ表示欄１４７１の下端に横スクロールバー１４７１ｂが操作可能に表示されている。縦スクロールバー１４７１ａの操作によってイメージ表示欄１４７１に表示されているイメージの領域を上下に移動でき、横スクロールバー１４７１ｂの操作によってイメージ表示欄１４７１に表示されているイメージを左右に移動させることができる。
また、イメージ表示欄１４７１には、移動かつクリック選択が可能なポインタ１４７１ｃが操作可能に表示されている。
【００９７】
さらに、画像濃度確認画面１４７０には、ポインタ１４７１ｃの座標位置およびポインタ１４７１ｃの座標位置に対応するイメージ１４７２の画像濃度を示す情報表示欄１４７３が設けられている。情報表示欄１４７３では、イメージ表示欄１４７１でユーザーが特定箇所をタッチしたりマウスやタブレットで指示したりすることでポインタ１４７１ｃが表示されるとともに、情報表示欄１４７３にポイントされた位置の座標と、画像濃度が表示される。
また、情報表示欄１４７３を押釦することにより座標の入力画面が表示され、ユーザーが直接座標を入力して位置を指定できるようにしても良い。また、ポイントではなくエリア（範囲指定）により濃度表示対象を指示し、対象エリア内の画素の平均値を表示するようにしても良い。ユーザーがエリア指定しなくても、指定ポイントの一定距離内に存在する画素の平均値を表示するようにしても良い。
【００９８】
また、画像濃度確認画面１４７０には、「全部数一括表示」釦１４７４が押釦可能に表示されている。「全部数一括表示」釦１４７４を押釦することにより、図１７に示す全部数濃度表示画面１４８０が表示される。
また、画像濃度確認画面１４７０には、イメージ表示欄１４７１の下段に、次頁釦１４７５と前頁釦１４７６とが押釦可能に並列して表示されており、イメージ表示欄１４７１に表示されるイメージに係る頁を変更することが可能になっている。前頁釦１４７６の右側にはさらにイメージの表示倍率を変更する拡大釦１４７７、縮小釦１４７８が押釦可能に並列して表示されており、イメージ表示欄１４７１に表示されるイメージ１４７２の拡大、縮小を行うことができる。
画像濃度確認画面１４７０の右下段には終了釦１４７９が押釦可能に表示されており、終了釦１４７９の押釦により当該画面の表示を終了することができる。
【００９９】
全部数濃度表示画面１４８０の画面例を図１７に示す。
この画面では、同一ＪＯＢ内で、同じ画像を出力したページの同一座標の濃度がリスト１４８１として表示される。該リスト１４８１では、部番号と、該部番号に対応するＲ、Ｇ、Ｂ各濃度が数値表示されている。表示するデータは出力画像管理テーブルで、対象となるページとＪＯＢ  ＩＤ／ページ番号が一致する要素を検索し、該当する要素の部番号／出力画像読み取りデータを参照することで得られる。
全部数濃度表示画面１４８０には、次項釦１４８２、前項釦１４８３、「選択中ページのイメージを表示」釦１４８４、終了釦１４８５が押釦可能に表示されている。
次項釦１４８２、前項釦１４８３の押釦操作により、リストの表示範囲を切り替えることができる。終了釦１４８５の押釦操作により全部数濃度表示画面１４８０の表示を終了して画像濃度確認画面１４７０に遷移することができる。
また、リスト１４８１における各項目の表示エリアを押下して任意ページを選択し、「選択中ページのイメージを表示」釦１４８４を押下することにより、画像濃度確認画面１４７０に、選択ページの画像が表示され、対象ページのイメージを確認することができる。これにより、濃度の数値に異常があると判断される場合に対象画像の状態をチェックすることが容易になる。
なお、この形態例では、画像濃度確認画面１４７０と全部数濃度表示画面１４８０を別画面として記載したが、同一画面に両方の情報を表示し、選択ＪＯＢを切り替えることにより、表示イメージをリアルタイムに更新する構成も可能である。
上記画像濃度の確認により、目視では確認できない画像の濃度差等を確認する事ができる。
【０１００】
なお、上記した各形態例では、出力画像のイメージ表示について説明したが、イメージ表示と従来のサンプル排紙機能とを併用する形態も考えられる。
例えば、短い周期で出力イメージ画像を表示させてレイアウトや印刷モード等、大まかなチェックを実施しつつ、長い周期で従来のサンプル排紙を実施して、画質や汚れなど細かいチェックを実施するようなケース、また、画像のチェックは出力イメージ画像で実施し、出力物の履歴（サンプル）を保管しておく為に、従来のサンプル排紙を実施するようなケースが考えられる。
図１８に従来のサンプル排紙と併用する場合の設定画面１４９０、図１９にサンプル排紙とイメージ表示とを併用する場合の処理手順のフローチャートを示す。
【０１０１】
設定画面１４９０では、サンプル排紙、出力画像イメージ表示を実施する条件の指定を促すメッセージがメッセージ欄１４９１に表示されている。
設定画面１４９０では、サンプル／画像確認を設定する釦群１４９２が操作入力可能に表示されており、サンプル／画像確認を実施するか実施しないかを選択することができる。図では、実施するが選択されて該当する釦が反転表示されている。
設定画面１４９０では、出力枚数周期によるサンプル／画像確認を設定する釦群１４９３が操作入力可能に表示されており、出力枚数周期によるサンプル／画像確認を実施しない、実施するを設定することができる。実施を選択する場合、サンプル排紙のみ、出力イメージ表示のみ、サンプル排紙＋出力イメージ表示のいずれかを選択することができる。また、サンプル排紙を選択する場合、サンプル排紙周期を例えば１０枚というように設定できる。出力イメージ表示を選択する場合、出力イメージ表示周期を例えば１枚というように設定できる。すなわち、排紙サンプルと出力イメージ表示で別の周期を設定することができる。なお、出力イメージ周期を１枚に設定する場合、全ての出力画像のイメージが表示される。この例では、出力枚数周期によるサンプル／画像確認を実施しないに設定されている。
【０１０２】
さらに、設定画面１４９０では、先頭ページのサンプル／画像確認を設定する釦群１４９４が操作入力可能に表示されており、先頭ページにおけるサンプル／画像確認を実施しない、実施するを設定することができる。実施を選択する場合、サンプル排紙のみ、出力イメージ表示のみ、サンプル排紙＋出力イメージ表示のいずれかを選択することができる。この例では、実施しないに設定されている。
さらに、設定画面１４９０では、サンプル排紙を行う場合の給紙トレイを選択することができる。例えば、トレイ１、２、３のいずれかを選択することができる。
【０１０３】
次にサンプル排紙を併用する処理手順を図１９のフローチャートに基づいて説明する。なお、以下の手順は制御ＣＰＵ１１３の制御によって実行される。
印刷（出力）開始に伴って、出力枚数カウンタＮに０をセットし（ステップｓ８０）、Ｎが総出力枚数を超えたかを判定する（ステップｓ８１）。Ｎが総出力枚数を超えていれば（ステップｓ８１、Ｙｅｓ）、処理を終了する。Ｎが総出力枚数を超えていなければ（ステップｓ８１、Ｎｏ）、Ｎ枚目（表面）の画像形成を実施する（ステップｓ８２）。次いで、インラインセンサーにより、画像形成が完了した用紙の画像を読み取る（ステップｓ８３）。
【０１０４】
ステップｓ８３の後、Ｎ枚目は両面印刷かを判定する（ステップｓ８４）。両面印刷かは、画像形成装置を制御する制御ＣＰＵ１１３で把握されている。両面印刷でなければ（ステップｓ８４、Ｎｏ）、ステップｓ８７に移行して用紙の排出を実施する。両面印刷である場合（ステップｓ８４、Ｙｅｓ）、Ｎ枚目（裏面）の画像形成を実施し（ステップｓ８５）、インラインセンサーにより、画像形成が完了した用紙の画像を読み取り（ステップｓ８６）、用紙の排出を行う（ステップｓ８７）。
【０１０５】
次いで、サンプル排紙の実施タイミングかを判定する（ステップｓ８８）。サンプル排紙の実施タイミングでなければ（ステップｓ８８、Ｎｏ）、出力画像のイメージ表示の実施タイミングかを判定する（ステップｓ９０）。ステップｓ８８の判定でサンプル排紙の実施タイミングであると判定される場合（ステップｓ８８、Ｙｅｓ）、Ｎ枚目の画像形成を実施して別排出先に出力を実施する（ステップｓ８９）。次いで、出力画像のイメージ表示の実施タイミングかを判定する（ステップｓ９０）。
【０１０６】
出力画像のイメージ表示の実施タイミングでないと判定される場合（ステップｓ９０、Ｎｏ）、Ｎに１を加算し（ステップｓ９２）、ステップｓ８１に移行する。出力画像のイメージ表示の実施タイミングであると判定される場合（ステップｓ９０、Ｙｅｓ）、インラインセンサーで読み取ったＮページ目の出力画像のイメージを操作表示部に表示し（ステップｓ９１）、Ｎに１を加算し（ステップｓ９２）、ステップｓ８１に移行する。
【０１０７】
上記によりサンプル排紙と出力画像のイメージ表示を併用して、出力画像の確認を行うことができ、サンプル排紙機能による画像の確認を可能としたまま、無駄紙の発生や生産性の低下を抑制することができる。
【０１０８】
以上、本発明について上記実施形態に基づいて説明を行ったが、本発明は上記実施形態の内容に限定されるものではなく、本発明の範囲を逸脱しない限りは適宜の変更が可能である。
【符号の説明】
【０１０９】
１    画像形成装置
１０    画像形成装置本体
１０ａ  画像形成装置本体
１１    画像形成部
１８    インラインセンサー
２０    中継装置本体
２５    インラインセンサー
３０    後処理装置本体
１１３    制御ＣＰＵ
１１５    不揮発メモリー
１３０    スキャナー部
１４０    操作表示部
１５０    プリンター部
１４１０  出力画像イメージ表示画面
１４３０  出力画像イメージ表示ＪＯＢ選択画面
１４４０  出力画像イメージ表示ページ選択画面
１４５０  出力画像イメージ表示周期選択画面
１４６０  出力画像イメージ表示条件選択画面
１４７０  画像濃度確認画面
【図１】
2014094519.tif 000003
【図２】
2014094519.tif 000004
【図３】
2014094519.tif 000005
【図４】
2014094519.tif 000006
【図５】
2014094519.tif 000007
【図６】
2014094519.tif 000008
【図７】
2014094519.tif 000009
【図８】
2014094519.tif 000010
【図９】
2014094519.tif 000011
【図１０】
2014094519.tif 000012
【図１１】
2014094519.tif 000013
【図１２】
2014094519.tif 000014
【図１３】
2014094519.tif 000015
【図１４】
2014094519.tif 000016
【図１５】
2014094519.tif 000017
【図１６】
2014094519.tif 000018
【図１７】
2014094519.tif 000019
【図１８】
2014094519.tif 000020
【図１９】
2014094519.tif 000021